(57)【要約】【課題】建物の開口部に固定したサッシ枠の網戸取付けレールを利用して取付けが行え、建物躯体に対する工事の施工を不要にし、かつ、網戸を兼ねると共に非常時の室内側からの脱出を可能にした跳ね上げ式面格子を提供する。【解決手段】建物の開口部に設けられたサッシ枠に取付ける面格子が、サッシ枠に設けられた最室外側のレールを利用してサッシ枠に取付ける外枠９と、この外枠９内に収まる大きさの周枠１０内にパンチングプレート１１を張設して形成され、前記周枠１０における上枠材２０を外枠９の上側枠材１４に回転可能となるよう取付けることにより、前記外枠９の開口部分を開閉する面格子体１２とからなり、前記面格子体１２の周枠１０における下枠材２１に、閉鎖位置にある面格子体１２を外枠９に対して固定化する施錠機構が設けてある。【選択図】図９
2007039946.tif 000002
【特許請求の範囲】
【請求項１】
建物の開口部に設けられたサッシ枠に取付ける面格子であり、前記面格子が、サッシ枠の上枠材と下枠材に設けられた最室外側のレールを利用してサッシ枠に取付ける外枠と、この外枠内に収まる大きさの周枠内にパンチングプレートを張設して形成され、前記周枠における上枠材を外枠の上側枠材に回転可能となるよう取付けることにより、前記外枠の開口部分を開閉する面格子体とからなり、前記面格子体の周枠における下枠材と外枠の下側枠材の何れか一方に、閉鎖位置にある面格子体を外枠に対して固定化する施錠機構を設けた跳ね上げ式面格子。
【請求項２】
上記外枠の上側枠材における室内側に臨む面と、この面にビス止めする外枠上金具で、サッシ枠の上枠材に設けられた最室外側の上部レールを挟み、外枠の下側枠材における室内側に臨む面と、この面にビス止めする外枠下金具で、サッシ枠の下枠材に設けられた最室外側の下部レールを挟むことで、サッシ枠に外枠を固定するようにした請求項１に記載の跳ね上げ式面格子。
【請求項３】
上記外枠の上側枠材における室外側の端縁に円軸部を設け、面格子体の周枠における上枠材の室外側の端縁上部に、この上枠材が前記上側枠材の下部に平行する状態で、前記円軸部を支点にして室外側に回転が可能となるよう円軸部に外嵌する係止部を設け、前記面格子体が閉鎖位置にある状態で、前記上側枠材と上枠材の対向面間に、面格子体の上昇動を規制するスペーサを介在させた請求項１又は２に記載の跳ね上げ式面格子。
【請求項４】
上記外枠の上側枠材における円軸部の周囲近接位置と、面格子体の周枠における上枠材の係止部の外径面とに、前記面格子体が開放位置にある状態で、面格子体の上昇動により互いに当接し、円軸部から係止部が離脱しないようにする一対の突部を設けた請求項１乃至３の何れかに記載の跳ね上げ式面格子。
【請求項５】
上記面格子体の周枠内に張設したパンチングプレートが、所定間隔で平行する角筒部間に多孔性のプレートを設けて形成され、このパンチングプレートを周枠内に、角筒部が縦又は横の配置となるように張設した請求項１乃至４の何れかに記載の跳ね上げ式面格子。
【発明の詳細な説明】
【技術分野】
【０００１】
この発明は、建物の開口部に設けられたサッシ枠の最室外側に位置する網戸取付けレールを利用し、建物躯体に対する工事を必要とすることなく開口部に取付けることができ、しかも、網戸を兼ねると共に非常時の室内側からの脱出を可能にした跳ね上げ式面格子に関する。
【背景技術】
【０００２】
建物の壁に設けた窓のような開口部を開閉する窓用サッシには、通風の確保と防虫のために、最室外側の位置に網戸を取付ける構造になっているのが一般的である。
【０００３】
また、窓のような開口部は、外部からの侵入者を防ぐため、窓用サッシの室外側に面格子を取付け、安全性の向上を図るようにしている。
【０００４】
ところで、従来の面格子には、開閉式の脱出面格子や固定面格子があるが、その何れにおいても、建物躯体に対して取付け金具で固定し、窓用サッシの最室外側に位置する網戸をそのまま生かすようにした構造になっている。
【発明の開示】
【発明が解決しようとする課題】
【０００５】
しかし、面格子を建物躯体に対して取付け金具を介して固定する構造では、建物躯体に取付け金具を固定するために、タッピングネジの下孔を穿孔する等の工事が別途必要になり、面格子の取付け作業に手間と時間がかかるという問題がある。
【０００６】
また、窓用サッシの室外側に固定配置した面格子では、火災等の非常時に窓を利用した室内側からの脱出が不能となり、人命救助の観点から好ましくない。
【０００７】
そこで、この発明の課題は、建物の開口部に固定したサッシ枠の最室外側の網戸取付けレールを利用して取付けが行え、建物躯体に対する工事の施工を不要にし、かつ、網戸を兼ねると共に非常時の室内側からの脱出を可能にした跳ね上げ式面格子を提供することにある。
【課題を解決するための手段】
【０００８】
上記のような課題を解決するため、この発明は、建物の開口部に設けられたサッシ枠に取付ける面格子であり、前記面格子が、サッシ枠の上枠材と下枠材に設けられた最室外側のレールを利用してサッシ枠に取付ける外枠と、この外枠内に収まる大きさの周枠内にパンチングプレートを張設して形成され、前記周枠における上枠材を外枠の上側枠材に回転可能となるよう取付けることにより、前記外枠の開口部分を開閉する面格子体とからなり、前記面格子体の周枠における下枠材と外枠の下側枠材の何れか一方に、閉鎖位置にある面格子体を外枠に対して固定化する施錠機構を設けた構成を採用したものである。
【０００９】
上記施錠機構は、面格子体の周枠における下枠材の上面に、外枠に対して面格子体を閉塞位置にした状態で、外枠の下側枠材に対して係脱させる掛け止め金具を起伏自在に取付け、下枠材の上面で伏倒した掛け止め金具が重なる位置に、押し回し式の係止撮みを取付け、前記掛け止め金具に伏倒状態で係止撮みに対して外嵌通過する形状の係止孔を設け、掛け止め金具を外枠の下側枠材に係止させた伏倒状態で、係止撮みを押し回しして係止孔との位相を変えれば、掛け止め金具の伏倒状態が固定化した施錠状態になる。
【００１０】
また、施錠状態で係止撮みを押し回しして係止孔との位相を合わせ、掛け止め金具を起立回動させれば、掛け止め金具は下側枠材から外れた開錠となり、面格子体を室外側へ跳ね上げることができる。
【００１１】
上記外枠の上側枠材における室内側に臨む面と、この面にビス止めする外枠上金具で、サッシ枠の上枠材に設けられた最室外側の上部レールを挟み、外枠の下側枠材における室内側に臨む面と、この面にビス止めする外枠下金具で、サッシ枠の下枠材に設けられた最室外側の下部レールを挟むことで、サッシ枠に外枠を固定するようにした構造とすることができる。
【００１２】
また、上記外枠の上側枠材における室外側の端縁に円軸部を設け、面格子体の周枠における上枠材の室外側の端縁上部に、この上枠材が前記上側枠材の下部に平行する状態で、前記円軸部を支点にして室外側に回転が可能となるよう円軸部に外嵌する係止部を設け、前記面格子体が閉鎖位置にある状態で、前記上側枠材と上枠材の対向面間に、面格子体の上昇動を規制するスペーサを介在させた構造としてもよい。
【００１３】
このように、上側枠材と上枠材の対向面間に、スペーサを介在させると、外枠と面格子体の組み立て後において、閉鎖位置にある面格子体を押上げても外枠から外すことができなくなり、安全性の向上が図れることになる。
【００１４】
更に、上記外枠の上側枠材における円軸部の周囲近接位置と、面格子体の周枠における上枠材の係止部の外径面とに、前記面格子体が開放位置にある状態で、面格子体の上昇動により互いに当接し、円軸部から係止部が離脱しないようにする一対の突部を設けるようにすることができる。
【００１５】
上記一対の突部によって、開放位置にした面格子体を押上げても外枠から外すことができなくなる。
【００１６】
上記面格子体の周枠内に張設したパンチングプレートが、所定間隔で平行する角筒部間に多孔性のプレートを設けて形成され、このパンチングプレートを周枠内に、角筒部が縦又は横の配置となるように張設した構造とすることができる。
【００１７】
ここで、上記外枠は、アルミの押出材を用いた上側枠材と下側枠材及び両側枠材をビスで結合して矩形枠に形成され、サッシ枠に対する大きさが、サッシ枠を固定した建物躯体の室外側開口内に収まり、その室内側に臨む端面がサッシ枠の室外側端面に重なり合う大きさになっている。
【００１８】
上記パンチングプレートは、一定間隔で平行する複数の角筒部をプレートで連結した断面形状に押出成形され、このプレートに多数の小孔を設けて多孔性のプレートにすると共に、両端に位置する角筒部は、互に嵌まり合う断面形状の継手構造とし、この継手構造で接続しながらパンチングプレートを同一に並べて張設することができ、このパンチングプレートが、室内側に向けて手を差し込めないようにする面格子と、通風と採光及び防虫を可能にする網戸の役目をしている。
【発明の効果】
【００１９】
この発明によると、建物の開口部に設けられたサッシ枠の最室外側の網戸取付けレールを利用して外枠を取付け、この外枠に面格子体を取付けたので、跳ね上げ式面格子の建物開口部に対する取付けが建物躯体に対する工事の施工を必要とすることなく行え、跳ね上げ式面格子の取付け作業の能率向上とコスト低減が図れる。
【００２０】
また、サッシ枠に固定する外枠に網戸を兼ねる面格子体を取付けたので、建物の開口部に対する外部からの侵入を防ぐと共に、非常時の室内側からの脱出が可能になり、建物の開口部に対する安全性の向上を図ることができる。
【００２１】
更に、跳ね上げることのできる面格子体を、周枠内にパンチングプレートを張設して形成したので、室内側に向けて手を差し込めないと共に通風と採光及び防虫が可能になり、面格子と網戸の機能を兼ね備えたものとなる。
【００２２】
また、施錠機構で面格子体を外枠に固定化できると共に、パンチングプレートで室内側に向けて手を差し込めないようにしたので、面格子体を室外側から開放することができなくなり、建物の開口部に対して防犯上の安全性を確保することができる。
【発明を実施するための最良の形態】
【００２３】
以下、この発明の実施の形態を図示例と共に説明する。
【００２４】
図示のように、建物Ａの窓である開口部に固定されたサッシ枠１は、上枠材２と下枠材３及び両側枠材４で形成され、その内部開口が二枚の引き戸５で開閉可能となり、前記上枠材２と下枠材３の上下対向面の最室外側の位置に網戸取付け用レール６と７が設けられている。
【００２５】
上記サッシ枠１の室外側に取付ける跳ね上げ式面格子８は、サッシ枠１の上枠材２と下枠材３に設けられた網戸取付け用レール６と７に固定する外枠９と、この外枠９に収まる周枠１０内にパンチングプレート１１が張設され、前記外枠９にこの外枠９の開口部分を開閉するよう取付ける面格子体１２と、前記面格子体１２の周枠１０における下部の位置に設けられ、閉鎖位置にある面格子体１２を外枠９に対して固定化する施錠機構１３とで形成されている。
【００２６】
上記外枠９は、図９のように、アルミの押出材を用いた上側枠材１４と下側枠材１５及び両側枠材１６、１６をビスで結合して矩形枠に形成され、前記上側枠材１４は、図９（ｂ）のごとく、横長角筒部１４ａの室外側の端縁に、この横長角筒部１４ａの下部から外方に突出する水平部１４ｂと、この水平部１４ｂの先端側上部に位置する円軸部１７を設け、横長角筒部１４ａの室内側の端部下面に下向きの溝形突部１４ｃを設けた断面形状を有している。
【００２７】
また、下側枠材１５は、図９（ｃ）のごとく、横長角筒部１５ａの室内側の端部上面に上向きの溝形突部１５ｂを設けた断面形状を有し、両側枠材１６と１６は、図７のように角筒形の断面形状を有し、この上側枠材１４と下側枠材１５及び両側枠材１６、１６をビスで矩形枠に結合して外枠９に形成されている。
【００２８】
この外枠９は、サッシ枠１に対する大きさが、サッシ枠１を固定した建物躯体の室外側開口内に収まり、その室内側に臨む端面がサッシ枠１の室外側端面に重なり合う大きさになっている。
【００２９】
即ち、外枠９は、図４のように、上側枠材１４の室内側の端面が、サッシ枠１の上枠材２に設けられた網戸取付け用レール６の外面に当接し、図６のように、下側枠材１５の室内側の端面が、サッシ枠１の下枠材３に設けられた網戸取付け用レール７の外面に当接し、図７のように、両側枠材１６、１６の室内側の端面が、サッシ枠１の両側枠材４に設けられた突条４ａの外面に当接するようになっている。
【００３０】
上記外枠９のサッシ枠１に対する取付けは、図４のように、外枠９の上側枠材１４における建物側に臨む面と、溝形突部１４ｃにビス止めする外枠上金具１８で、サッシ枠１の上枠材２に設けられた上部の網戸取付け用レール６を挟み、図６のように、外枠の下側枠材１５における建物側に臨む面と、溝形突部１５ｂにビス止めする外枠下金具１９で、サッシ枠１の下枠材３に設けられた網戸取付け用レール７を挟むことで、サッシ枠１に外枠９を固定する。
【００３１】
このように、サッシ枠１に設けられた網戸取付け用レール６、７に外枠９を取付けるようにすると、跳ね上げ式面格子８の建物開口部に対する取付けに建物躯体への工事の施工が不要になり、跳ね上げ式面格子８の取付け作業の能率向上とコスト低減が図れることになる。
【００３２】
上記面格子体１２は、アルミの押出材を用いた上枠材２０と下枠材２１及び横枠材２２、２２を矩形状に組み立てて周枠１０とし、この周枠１０内にパンチングプレート１１を張設して形成され、前記上枠材２０は、内部中空の断面Ｌ型となり、室外側の端部上面に、上方へ突出して上端が室内側へ向けて半円状に屈曲し、上記円軸部１７に対して外嵌する係止部２３が設けられている。
【００３３】
この上枠材２０は、係止部２３を上記円軸部１７に対して上から落とし込んで外嵌することにより、上側枠材１４の内側に位置してこの上側枠材１４と平行する水平状態から円軸部１７を支点にして室外側に回転が可能になり、円軸部１７が面格子体１２を跳ね上げた時の回動支点になる。
【００３４】
図４のように、前記面格子体１２が外枠９内に収まる閉鎖位置にある状態で、前記上側枠材１４と上枠材２０の上下対向面間に、面格子体１２を上昇動しないようにする合成樹脂製のスペーサ２４を上枠材２０への取付けによって介在させ、外枠９と面格子体１２の組み立て後において、面格子体１２を押上げても外枠９から外すことができなくなるようにし、外部からの侵入に対する安全性の向上を図るようにしている。
【００３５】
また、図４と図５のように、上記外枠９の上側枠材１４における角筒部１４ａの室外側の上側端部で円軸部１７の周囲に近接する位置と、面格子体１２の周枠１０における上枠材２０に設けた係止部２３の外径面とに、前記面格子体１２が開放位置にある状態で、面格子体１２の持ち上げによる上昇動により互いに当接し、円軸部１７から係止部２３が離脱しないようにする一対の突部２５と２６が設けてあり、この一対の突部２５と２６によって、開放位置にした面格子体１２を押上げても外枠９から外すことができないようにしている。
【００３６】
上記周枠１０の下枠材２１は、上面側に溝形部２７を有する内部中空の断面Ｌ型となり、室外側の端部下面に下向きの覆い片２８を設けた断面形状を有し、また、上記横枠材２２、２２は、図７のように、角筒部の室内側に溝形部２９を連成した断面形状を有し、これら上枠材２０と下枠材２１及び横枠材２２、２２を矩形状に組み立てることにより、外枠９内に収まる大きさの周枠１０が形成されることになる。
【００３７】
上記面格子体１２において、周枠１０内に張設したパンチングプレート１１は、図１０のように、アルミを用い、一定間隔で平行する複数の角筒部３０をプレート３１で連結した断面形状に押出成形され、このプレート３１に多数の小孔３２を設けて所定の透光量と通風性を有する多孔性のプレートにすると共に、両端に位置する角筒部３０は、互に嵌まり合う断面形状の内側角筒部３０ａと外側角筒部３０ｂによる継手構造になっている。
【００３８】
パンチングプレート１１は、継手構造で接続しながら同一面に並べることで、丁度周枠１０内に収まる大きさに形成され、周枠１０内に組み込んだパンチングプレート１１は、各角筒部３０の両端を周枠１０の構成材にビスで固定することにより張設され、このパンチングプレート１１は、室内側に向けて手を差し込めないようにする面格子と、通風と採光及び防虫を可能にする網戸の役目をする。
【００３９】
図１の場合、跳ね上げ式面格子８は、二枚の面格子体１２を外枠９内に並べて配置し、個々に跳ね上げることができるようにしたが、跳ね上げ式面格子８の大きさによっては、外枠９内にこの外枠９内に丁度収まる一枚の面格子体１２を取付けた構造であってもよい。
【００４０】
また、二枚の面格子体１２を外枠９内に並べて配置した跳ね上げ式面格子８の場合、二枚の面格子体１２は並べて配置した状態で外枠９内に丁度収まる大きさになっているが、図１３に示す実施の形態では、外枠９の内部で隣接する二枚の面格子体１２と１２の間に中棧３３を立設し、閉鎖位置にある両面格子体１２、１２の横枠材２２、２２間の隙間をこの中棧３３によって閉塞するようにし、室外側から見た時に横枠材２２、２２間の隙間が見えないようにすることで、外観の向上を図ることができるようにしている。
【００４１】
更に、図１では、上記面格子体１２の周枠１０内に張設したパンチングプレート１１は、所定間隔で平行する角筒部３０を横向きの配置にしたが、図１４のように、角筒部３０が縦向きの配置になるよう周枠１０内に張設するようにしてもよい。
【００４２】
上記施錠機構１３は、前記面格子体１２の周枠１０における下枠材２１に設けられ、この下枠材２１の上面に、外枠９に対して面格子体１２を閉塞位置にした状態で、外枠９の下側枠材１５に対して係脱させる掛け止め金具３４を起伏自在に取付け、下枠材２１の上面で伏倒した掛け止め金具３４が重なる位置に、押し回し式の係止撮み３５を取付けて形成されている。
【００４３】
上記掛け止め金具３４は、図１１と図１２のように、下枠材２１の上面に重ねることのできる矩形板に、伏倒状態で係止撮み３５に対して外嵌通過する形状の係止孔３６と、その室内側縁に下向きの係止片３７が設けられ、下枠材２１の上面にビスで固定した取付け板３８にヒンジ機構３９で、下枠材２１の長さ方向に起伏回動が可能となるよう枢止されている。
【００４４】
押し回し式の係止撮み３５は、下枠材２１の溝形部２７内に上方への抜け止めとなる円板４０と、この円板４０の上面に設けられ、溝形部２７の開口に納まることで回り止めとする正方形の角形突部４１と、角形突部４１の上面に起立する円軸部４２と、この円軸部４２の直径よりも薄い板厚を有し、円軸部４２の上端に設けた板状の撮み片４３からなり、下枠材２１の溝形部２７内に組み込んだ状態で、円板４０の下部に設けたスプリング４４により、常時上方への弾性が付勢されている。
【００４５】
この係止撮み３５は、スプリング４４の押上で角形突部４１が溝形部２７の開口に納まり、溝形部２７の上面に円軸部４２と撮み片４３が突出した回り止め状態となり、撮み片４３を押し込んで角形突部４１を溝形部２７の開口から下に離脱させると、係止撮み３５の押し回しによる回転が可能になり、このような押し回しにより、撮み片４３の長さ方向の向きを、下枠材２１の長さ方向に沿う状態とこれと直角方向の何れかに変化させることができることになる。
【００４６】
上記掛け止め金具３４の係止孔３６は、図１２のように、上記撮み片４３を丁度通過可能となる長孔３６ａと、この長孔３６ａの中央に円軸部４２へ外嵌するよう設けた円形孔３６ｂとで形成され、掛け止め金具３４の係止片３７を外枠９の下側枠材１５に係止させながら、この掛け止め金具３４を下枠材２１の上面に重ねて係止孔３６を撮み片４３から円軸部４２に嵌め、その後撮み片４３を押し回しすれば、撮み片４３が係止孔３６と直角となり、掛け止め金具３４は起立回動不能となった施錠状態になる。
【００４７】
また、開錠時は、撮み片４３を押し回しして撮み片４３の長さ方向を係止孔３６に沿わせればよく、掛け止め金具３４は起立回動が可能となり、この起立回動によって係止片３７が外枠９の下側枠材１５から外れた開錠となり、面格子体１２を室外側に跳ね上げることができる。
【００４８】
上記施錠機構１３は、前記面格子体１２の周枠１０における下枠材２１に設けたが、外枠９の下側枠材１５に取付けて面格子体１２を固定化できるようにしてもよい。
【００４９】
この発明の跳ね上げ式面格子８は、上記のような構成であり、建物Ａの窓である開口部に固定されたサッシ枠１の室外側に、このサッシ枠１の上枠材２と下枠材３に設けられた網戸取付け用レール６と７を利用して跳ね上げ式面格子８を取付け、通常この跳ね上げ式面格子８は、外枠９の開口部分を面格子体１２で閉鎖し、面格子体１２を外枠９に対して施錠機構１３で固定化することにより、建物開口部の防犯用面格子と、通風と採光及び防虫を可能にする網戸の役目をしている。
【００５０】
上記跳ね上げ式面格子８は、施錠された閉鎖状態にあるとき、図４のように、前記上側枠材１４と上枠材２０の上下対向面間に、面格子体１２を上昇動しないようにする合成樹脂製のスペーサ２４が介在させてあるので、外枠９に対して面格子体１２を押上げても外枠９から外すことができなくなっており、また、周枠１０内に組み込んだパンチングプレート１１は室内側に向けて手を差し込めないようにしているので、外部からの侵入に対する安全性の確保ができる。
【００５１】
建物Ａの窓である開口部から緊急脱出する場合は、施錠機構１３を開錠操作して面格子体１２の下部における外枠９への固定を解き、この面格子体１２の下部を室外側に押せば、図２の一点鎖線のように、面格子体１２を上枠材２０に設けた係止部２３が外嵌する外枠９の円軸部１７を支点にして室外側に跳ね上げることができ、これによって、建物Ａの窓である開口部が開放状態になり、室内から室外への脱出が可能になる。
【図面の簡単な説明】
【００５２】
【図１】サッシ枠に取付けた跳ね上げ式面格子の斜視図
【図２】図１の矢印II−IIに沿う縦断側面図
【図３】図１の矢印III−IIIに沿う横断平面図
【図４】跳ね上げ式面格子の上部を拡大した縦断側面図
【図５】跳ね上げ式面格子の面格子体を跳ね上げ状態を示す上部を拡大した縦断側面図
【図６】跳ね上げ式面格子の下部を拡大した縦断側面図
【図７】跳ね上げ式面格子の左側端部を拡大した横断平面図
【図８】跳ね上げ式面格子の中間部分を拡大した横断平面図
【図９】（ａ）は跳ね上げ式面格子を示す分解斜視図、（ｂ）は跳ね上げ式面格子の外枠における上側枠材の断面図、（ｃ）は同外枠における下側枠材の断面図、（ｄ）は面格子体の周枠における上枠材の断面図、（ｅ）は面格子体の周枠における下枠材の断面図
【図１０】（ａ）は面格子体に張設するパンチングプレートの縦断側面図、（ｂ）はパンチングプレートの要部構造を示す斜視図
【図１１】（ａ）は施錠機構の施錠状態を示す斜視図、（ｂ）は同開錠状態を示す斜視図、（ｃ）は同施錠状態を示す正面図、（ｂ）は同開錠状態を示す正面図
【図１２】（ａ）は施錠機構の施錠状態を示す拡大した縦断側面図、（ｂ）は施錠機構の分解斜視図
【図１３】跳ね上げ式面格子の面格子体に設けた中棧部分を拡大した横断平面図
【図１４】パンチングプレートが縦格子の実施形態を示す跳ね上げ式面格子の斜視図
【符号の説明】
【００５３】
１        サッシ枠
２      上枠材
３      下枠材
４      両側枠材
５      引き戸
６      網戸取付け用レール
７      網戸取付け用レール
８      跳ね上げ式面格子
９      外枠
１０    周枠
１１    パンチングプレート
１２    面格子体
１３    施錠機構
１４    上側枠材
１５    下側枠材
１６    両側枠材
１７    円軸部
１８    外枠上金具
１９    外枠下金具
２０    上枠材
２１    下枠材
２２    横枠材
２３    係止部
２４    スペーサ
２５    突部
２６    突部
２７    溝形部
２８    覆い片
２９    溝形部
３０    角筒部
３１    プレート
３２    小孔
３３    中棧
３４    掛け止め金具
３５    係止撮み
３６    係止孔
３７    係止片
３８    取付け板
３９    ヒンジ機構
４０    円板
４１    角形突部
４２    円軸部
４３    撮み片
４４    スプリング
【図１】
2007039946.tif 000003
【図２】
2007039946.tif 000004
【図３】
2007039946.tif 000005
【図４】
2007039946.tif 000006
【図５】
2007039946.tif 000007
【図６】
2007039946.tif 000008
【図７】
2007039946.tif 000009
【図８】
2007039946.tif 000010
【図９】
2007039946.tif 000011
【図１０】
2007039946.tif 000012
【図１１】
2007039946.tif 000013
【図１２】
2007039946.tif 000014
【図１３】
2007039946.tif 000015
【図１４】
2007039946.tif 000016